【事件の表示】
　特願２００７−２８２０５４「携帯電子機器」拒絶査定不服審判事件〔平成２１年　５月２１日出願公開、特開２００９−１１２１１６〕について、次のとおり審決する。
【結　論】
　本件審判の請求は、成り立たない。
【理　由】
第１　手続の経緯
　本願は、平成１９年１０月３０日の出願であって、平成２４年７月６日付けで拒絶の理由が通知され、これに対し、平成２４年９月６日付けで意見書及び手続補正書が提出され、その後、平成２５年４月１７日付けで拒絶査定がされ、これに対し、平成２５年７月２２日に拒絶査定不服審判が請求されるとともに同日付けの手続補正書が提出されたものである。
　
　
第２　平成２５年７月２２日付けの手続補正書による補正（以下「本件補正」という。）についての補正の却下の決定
［補正の却下の決定の結論］
　本件補正を却下する。
　
［理由］
１．本件補正の内容
　本件補正は、特許請求の範囲に関し、本件補正前に請求項１及び６が下記（１）のとおりであったものを、本件補正後に請求項１を下記（２）のとおりにする補正を含むものである。
（１）本件補正前
「【請求項１】
　燃料電池と、
　二次電池と、
　前記燃料電池と前記二次電池の少なくとも一方からの給電により機能が動作される機能動作部と、
　前記機能動作部により動作される機能に応じて前記燃料電池と前記二次電池の少なくとも一方からの前記機能動作部への給電方法を制御する制御部と、を有し、
　前記制御部は、前記機能動作部への電源供給源を前記燃料電池及び前記二次電池の一方から他方へ切り替える場合、前記機能動作部に対して前記燃料電池及び前記二次電池の双方から一定期間給電した後に前記他方から給電されるようにすることを特徴とする携帯電子機器。」
「【請求項６】
　前記二次電池の電圧状態を検出する電圧状態検出部を有し、
　前記制御部は、前記電圧状態検出部により検出された前記二次電池の電圧状態が所定の電圧値以下の場合には、前記燃料電池から前記二次電池に給電する、ことを特徴とする請求項１乃至請求項５のいずれか一項に記載の携帯電子機器。」
（平成２４年９月６日付け手続補正書の特許請求の範囲を参照。）
　
（２）本件補正後
「【請求項１】
　燃料電池と、
　二次電池と、
　前記燃料電池と前記二次電池の少なくとも一方からの給電により機能が動作される機能動作部と、
　
前記二次電池の電圧状態を検出する電圧状態検出部と、
　前記機能動作部により動作される機能に応じて前記燃料電池と前記二次電池の少なくとも一方からの前記機能動作部への給電方法を制御する制御部と、を有し、
　前記制御部は、前記機能動作部への電源供給源を前記燃料電池
から
池へ
二次電池
と共に、前記電圧状態検出部により検出された前記二次電池の電圧状態が所定の電圧値以下である場合には、前記燃料電池により前記二次電池を充電する
　
２．本件補正の目的要件について
　本件補正は、本件補正前の請求項１又は６に記載した発明を特定するために必要な事項である「制御部」が「前記機能動作部への電源供給源を前記燃料電池及び前記二次電池の一方から他方へ切り替える場合、前記機能動作部に対して前記燃料電池及び前記二次電池の双方から一定期間給電した後に前記他方から給電されるようにする」ことについて、「前記機能動作部への電源供給源を前記燃料電池から前記二次電池へ切り替える場合、前記機能動作部に対して前記燃料電池及び前記二次電池の双方から一定期間給電した後に前記二次電池から給電されるようにする」とし、切り替え前の電源供給源と切り替え後の電源供給源がそれぞれ二者択一であったものを、一つに限定する補正を含むものであって、本件補正前の請求項１又は６に記載された発明と本件補正後の請求項１に記載された発明の産業上の利用分野及び解決しようとする課題が異なるものではないから、特許法第１７条の２第５項第２号の特許請求の範囲の減縮を目的とするものに該当する。
　そこで、本件補正後の特許請求の範囲の請求項１に記載された事項により特定される発明（以下、「本願補正発明」という。）が、特許出願の際に独立して特許を受けることができるものであるか（特許法第１７条の２第６項において準用する同法第１２６条第７項の規定の規定に適合するか）について、次に検討する。
　
３．本願補正発明の独立特許要件について
（１）引用刊行物
　ア．原査定の拒絶の理由に引用された、本願の出願前に頒布された刊行物である特開２００５−１１６２６号公報（以下「刊行物１」という。）には、図面とともに次の事項が記載されている。
　
・「【要約】
【課題】効率良く且つ安定的に電力を供給する。
【解決手段】デジタルカメラ１０の装置本体における負荷変動が少ない場合には、燃料電池９４から装置本体へ電力を供給し、装置本体の負荷変動が大きい場合には、二次電池９６から装置本体へ電力を供給する。デジタルカメラ１０の装置本体で瞬間的に大きな電力が必要になった場合、安定的に駆動することができない恐れがある燃料電池９４からの供給は、低負荷時に行い、高負荷時には、二次電池９６から電力を供給することができるので、効率よく装置本体へ電力を供給することができる。」
　
・「【０００９】
特許文献３の技術では、装置本体に対して電力を供給するものとして、燃料電池と二次電池とを、装置本体の負荷状態（負荷一定時または供給電力不足）により切り替えている。具体的には、負荷一定時には、燃料電池から装置本体に対して電力を供給し、供給電力不足時には、二次電池から装置本体に対して電力を供給する。更に、負荷一定時における燃料電池から装置本体への電力供給時には、燃料電池から二次電池へ電力が供給される。そのために、燃料電池は、装置本体及び二次電池へ充分な電力を供給するために、二次電池と比べて充分な電気エネルギーの容量を備えた構成となっている。
　・・・
【００１１】
【発明が解決しようとする課題】
しかしながら、燃料電池は、充分な電気エネルギーの容量を備えた構成とすると、燃料電池自体のサイズが大きくなる可能性がある。しかし、燃料電池の電気エネルギーの容量を小さくすると、装置本体の負荷変動に対応することができない場合がある。
【００１２】
本発明は上記事実を考慮したものであり、二次電池及び燃料電池を備えた携帯装置において、効率良く且つ安定的に電力を供給することができる携帯装置を提供することを目的とする。」
　
・「【００１３】
【課題を解決するための手段】
上記目的を達成するために本発明の携帯装置は、入力された信号により、供給された燃料を化学反応させて電力を発生する燃料電池、または、前記燃料電池より大きな容量の電力を有する二次電池を装置本体に接続する切替手段と、前記装置本体の負荷を検出する負荷検出手段と、前記負荷検出手段による検出値が所定値以上の場合に、前記二次電池と前記装置本体とを接続することを表わす切替信号を前記切替手段へ出力する制御手段と、を備えることを特徴としている。
【００１４】
本発明の携帯装置は、切替手段を備えており、入力された信号により燃料電池または二次電池を装置本体に接続する。燃料電池は、供給された燃料を化学反応させて電力を発生するものであり、発生した電力は切替手段を介して装置本体に供給される。二次電池は、燃料電池より大きな容量の電力を有し、この大きな容量の電力は切替手段を介して装置本体へ供給される。燃料電池または二次電池から供給された電力によって装置本体、すなわち、本発明の携帯装置は動作する。
【００１５】
携帯装置は、その動作状態により装置本体の負荷が変化する。負荷検出手段は、装置本体の負荷を検出すると、制御手段は、負荷検出手段による検出値が所定値以上である場合に、二次電池と装置本体とを接続することを表す切替信号を、切替手段へ出力する。切替手段は、入力された切替信号に応じて、二次電池を装置本体に接続すると、二次電池の電力が装置本体へ供給される。負荷検出手段による検出値が所定値未満である場合には、制御手段は、燃料電池と装置本体とを接続することを表す切替信号を切替手段へ出力する。切替手段は、入力された切替信号に応じて燃料電池と装置本体とを接続するので、燃料電池の電力は装置本体へ供給される。
【００１６】
このように、燃料電池及び燃料電池より大きな容量の電力を有する二次電池を備えた携帯装置において、装置本体の負荷が所定値未満の場合には、燃料電池から装置本体へ電力を供給し、装置本体の負荷が所定値以上である場合には、二次電池から装置本体へ電力を供給することができるので、安定的に装置本体に対して電力を供給することができる。
【００１７】
前記燃料電池と装置本体が接続されているとき、前記燃料電池による電力を用いて前記二次電池を充電する充電手段を更に備えることができる。
【００１８】
二次電池は、装置本体へ電力を供給することにより蓄積された電力が減少する。そこで、燃料電池と装置本体が接続されて燃料電池から装置本体へ電力が供給されている時に、燃料電池による電力を二次電池へ供給すれば、二次電池不使用時に、二次電池を充電することができるので、効率よく二次電池を充電することができる。
【００１９】
前記二次電池の残量を検知する残量検知手段を更に備え、前記制御手段は、前記残量検知手段により前記二次電池の残量値が予め定めた残量値より少ない場合に、前記燃料電池と前記装置本体とを接続することができる。
【００２０】
二次電池の残量値が装置本体へ電力を供給するに充分でない容量となると。装置本体へ安定した電力を供給することは困難となる。そこで、残量検知手段により二次電池の残量値が、装置本体へ電力を供給するに充分でない容量を表す残量値より少ない場合に、燃料電池と装置本体とを接続するようにすれば、燃料電池から装置本体へ電力を供給することができるので、安定的に装置本体へ電力を供給することができる。また、燃料電池から装置本体へ電力供給時に、二次電池を充電することができるので、効率よく二次電池を充電することができる。」
　
・「【００３４】
主制御部６０は、デジタルカメラ１０の全体的な動作を司るためのものであって、ＣＰＵ８２、ＥＥＲＯＭ８０、及びＲＡＭ６６からなるマイクロコンピュータを含んで構成される。これらのＣＰＵ８２、ＥＥＲＯＭ８０、及びＲＡＭ６６を含むデバイスは、データやコマンドの授受が可能なようにバス８５で接続されている。ＲＡＭ６６は、主としてワークメモリとして用いられ、ＥＥＰＲＯＭ８０は、各種プログラムやパラメータ等の情報を予め記憶するためのものである。
【００３５】
また、主制御部６０には、信号処理部６４、表示制御部６８、メディア制御部７２、圧縮伸長処理回路７０、及び消費電力制御部８４が設けられている、これらの信号処理部６４、表示制御部６８、メディア制御部７２、圧縮伸長処理回路７０、及び消費電力制御部８４は、バス８５に接続されており、バス８５を介してデータやコマンドの授受が可能な構成となっている。」
　
・「【００４０】
更に、ＣＰＵ８２には、デジタルカメラ１０の負荷状態を検出するための負荷状態検出部８６が設けられている。負荷状態検出部８６は、デジタルカメラ１０の上記装置各部（以下、装置本体という）が予め定められた所定値以上の負荷状態にあるか否かを検出する。
【００４１】
本実施の形態では、装置本体が高負荷状態（所定値以上の負荷）または低負荷状態（所定値未満の負荷）になる場合として、予め各々の状態に応じてデジタルカメラ１０の処理が対応付けられているものとする。本実施の形態では、例えば、モードダイヤル２４で撮影モードが選択されると、高負荷状態であるものとする。撮影モードでは、ズームレンズの駆動等を伴う処理が実行されるため、消費される電力が大きいためである。また、モードダイヤル２４で再生モードが選択されると、低負荷状態であるものとして説明する。再生モードでは、主にＬＣＤ３４への画像表示を行うため、撮影モードに比べて消費される電力が小さいためである。
【００４２】
なお、この負荷状態は、上記のようにモードダイヤル２４の選択によって判断するのではなく、装置本体のデバイスの負荷状態を検出することによって、判断するようにしてもよい。
【００４３】
ＣＰＵ８２には、デジタルカメラ１０の各部に対して電力を供給するための電力供給部３０が接続されている。電力供給部３０は、ＤＣ・ＤＣコンバータ９０、スイッチ９２、二次電池充電回路９８、燃料電池９４、二次電池９６、及び残量検出回路９９から構成されている。ＤＣ・ＤＣコンバータ９０は、後述する燃料電池９４または二次電池９６からの電力を所定の電圧に変換した後にデジタルカメラ１０の上記装置本体へ電力を供給するためのものである。燃料電池９４は、デジタルカメラ１０の装置本体へ電力を供給するためのものである。また、燃料電池９４は、二次電池充電回路９８を介して二次電池９６に接続されており、燃料電池の電力を二次電池９６へ供給することにより二次電池９６を充電することができる。」
　
・「【００４５】
燃料電池９４は、ＣＰＵ８２の制御によって図示を省略した燃料タンクからメタノール水（ＣＨ３ＯＨ＋Ｈ２Ｏ）、及び図示を省略した酸素取込口から酸素（Ｏ２）が供給されることによって起動し、上記化学反応によって電力を発生する。燃料電池９４は、このように、メタノール水や水素等の燃料を化学反応させて電気エネルギーを発生するものであるため、装置本体の負荷レベルが急激に高くなった場合、すなわちデジタルカメラ１０の装置本体で瞬間的に大きな電力が必要になった場合、安定的に駆動することができない恐れがある。
【００４６】
そこで、本実施の形態の電力供給部３０には、二次電池９６が設けられている。二次電池９６は、スイッチ９２を介してデジタルカメラ１０の装置各部に対して電力を供給するためのものである。」
　
・「【００４８】
燃料電池９４で発生された電力、または二次電池９６に蓄積された電力は、装置本体へ供給される。この燃料電池９４または二次電池９６と、装置本体との電力供給経路を切り替えるために、スイッチ９２が設けられている。
【００４９】
スイッチ９２は、燃料電池９４からデジタルカメラ１０の装置本体への電力の供給と、二次電池９６からデジタルカメラ１０の装置本体への電力の供給とを切り替えるためのものである。スイッチ９２は、ＣＰＵ８２から切替信号が入力されることによって、燃料電池９４とＤＣ・ＤＣコンバータ９０との接続側と、二次電池９６とＤＣ・ＤＣコンバータ９０との接続側とに接続関係を切り替え可能な構成となっている。更に、電力供給部３０は、二次電池充電回路９８を備えている。二次電池充電回路９８は、燃料電池９４で発電された電力を二次電池９６へ供給するためのものである。このため、スイッチ９２が燃料電池９４とＤＣ・ＤＣコンバータ９０との接続側に切替えられると、燃料電池９４の電力がデジタルカメラ１０の装置本体へ供給されるとともに、二次電池充電回路９８を介して、二次電池９６へ供給される。また、スイッチ９２が二次電池９６とＤＣ・ＤＣコンバータ９０との接続側に切替えられると、二次電池９６に蓄積された電力が装置本体へ供給される。
【００５０】
二次電池充電回路９８は、充電量制御回路９７、二次電池９６を所定値以上の充電量で充電する充電部９１、及び二次電池９６を所定値未満の充電量で充電する充電部９３を含んで構成されている。充電量制御回路９７は、ＣＰＵ８２に接続されており、ＣＰＵ８２からの切替信号の入力によって充電部９１と二次電池９６との接続、または充電部９３と二次電池９６との接続側にスイッチがを切り替える。
【００５１】
残量検出回路９９は、燃料電池９４及び二次電池９６に接続されており、二次電池９６に蓄積された電力の残量を検出するとともに、燃料電池９４の燃料（メタノール水）の残量を検出するためのものである。本実施の形態では、残量検出回路９９は、二次電池９６が満充電状態であることを検知するための満充電を検知する所定量と、二次電池９６の電力が残り少なく、電力を外部へ供給するに充分ではないことを検出するための残量減を検知
するための２種の所定量が予め定められているものとする。残量検出回路９９は、更にＣＰＵ８２に接続されており、検出結果はＣＰＵ８２へ出力される。」
　
・「【００５３】
図４には、ＣＰＵ８２で実行される処理ルーチンを示した。デジタルカメラ１０では、所定時間毎に図４に示す処理ルーチンが実行されて、ステップ１００へ進む。ステップ１００では、二次電池からの電力供給処理が実行される。ステップ１００の処理は、スイッチ９２へ、二次電池９６とＤＣ・ＤＣコンバータ９０との接続側にスイッチ９２を切替えるための切替信号を出力するものである。ステップ１００の処理によって、初期状態として二次電池９６からデジタルカメラ１０の装置本体へ、電力供給可能な状態となる。
【００５４】
次にステップ１０２では、電力供給指示がなされたか否かを判断し、否定されるとステップ１００へ戻り、肯定されるとステップ１０４へ進む。ステップ１０２の判断は、電源スイッチ２６の押圧操作によって入力される入力信号を判別することによって判断することができる。
【００５５】
次にステップ１０４では、デジタルカメラ１０において撮影モードが選択された状態にあるか否かを判断する。ステップ１０４の判断は、モードダイヤル２４の状態を判別することによって判断可能である。モードダイヤル２４のモード選択状態の確認は、ＲＡＭ６６に記憶されたモードダイヤル２４の状態を表すデータを読み取る事によって可能である。このデータは、モードダイヤル２４がユーザによって操作されることによって入力され、ＲＡＭ６６に記憶される。このＲＡＭ６６に記憶されたモードダイヤル２４の状態を表すデータを確認することによって、判別可能である。本実施の形態では、撮影モードまたは再生モードを表すデータがＲＡＭ６６に記憶されるものとして説明する。
【００５６】
次にステップ１０４で肯定され、撮影モードが選択されている場合、ステップ１０６へ進み、上記ステップ１００の処理と同様に、二次電池９６からの電力供給処理が実行された後にステップ１１０へ進む。
【００５７】
一方、ステップ１０４で否定されされ、再生モードが選択されている場合、ステップ１０８へ進み、燃料電池からの電力供給処理が実行される。ステップ１０８の処理は、スイッチ９２へ、燃料電池９４とＤＣ・ＤＣコンバータ９０との接続側にスイッチ９２を切替えるための切替信号を出力するものである。ステップ１０８の処理によって、燃料電池９４からデジタルカメラ１０の装置本体へ、電力が供給される。次にステップ１０９において、二次電池９６の充電処理が実行した後にステップ１１０へ進む。ステップ１０９の処理は、燃料電池９４の電力によって二次電池９６を充電するものである。
【００５８】
ステップ１１０では、電源供給停止指示がなされたか否かを判断し、否定されると、ステップ１０４へ戻り、肯定されると、ステップ１１２へ進む。ステップ１１０の判断は、電源スイッチ２６の押圧操作によって入力される入力信号を判別することによって判断することができる。
【００５９】
次にステップ１１２では、上記ステップ１００の処理と同様に、二次電池からの電力供給処理が実行された後に、本ルーチンを終了する。」
　
・「【００７０】
なお、上記図４に示す処理ルーチンの実行中に、図６に示す処理ルーチンを所定時間毎に割り込み実行する事ができる。
【００７１】
ステップ３００では、電力供給指示がなされた状態であるか否かを判断する。ステップ３００の判断は、ＲＡＭ６６に記憶された電源供給状態を示すデータを判別することによって判断可能である。このデータは、電源スイッチ２６の操作によって入力されたＲＡＭ６６に記憶される。このＲＡＭ６６に記憶されたデータを読取ることによって、電源供給指示がなされた状態であるか否かを判断することができる。
【００７２】
ステップ３００で肯定されると、ステップ３０２へ進み、燃料電池９４から電源供給中であるか否かを判断する。ステップ３０２の判断は、上記ステップ２０２の判断と略同様に、ＲＡＭ６６に記憶された切替信号を示すデータが、燃料電池９４とＤＣ・ＤＣコンバータ９０との接続側への切替信号を示すデータであるかを判別することによって、判断することができる。
【００７３】
ステップ３０２で否定されると、本ルーチンを終了し、肯定されると、ステップ３０４へ進む。ステップ３０４では、残量検出回路９９から受信した二次電池９６の電力の残量を示す信号が、予め設定した設定値以上であるか否かを判別することによって判断可能である。この設定値として、二次電池９６が満充電状態であることを判別するための残量値が予めＲＡＭ６６に記憶するようにし、この残量値と、残量検出回路９９からの信号を比較することによって判断すればよい。
【００７４】
ステップ３０４で肯定され、二次電池９６が満充電状態である場合には、本ルーチンを終了し、ステップ３０４で否定され、満充電状態ではない場合には、ステップ３０６へ進む。ステップ３０６では、二次電池９６を小電流で充電する充電処理が実行される。ステップ３０６の処理は、充電量制御回路９７へ、充電部９３と二次電池９６との接続側へスイッチを切り替える切替信号を出力するものである。ステップ３０６の処理によって、二次電池９６は、燃料電池９４から所定量未満の充電量で充電される。
【００７５】
一方、ステップ３００で否定されると、ステップ３０８へ進み、上記ステップ３０４と同様に二次電池９６が満充電状態であるか否かを判断する。
【００７６】
ステップ３０８で肯定されると、本ルーチンを終了し、ステップ３０８で否定されて二次電池９６が満充電状態ではない場合には、ステップ３１０へ進む。ステップ３１０では、二次電池を大電流で充電する充電処理が実行される。ステップ３１０の処理は、充電量制御回路９７へ、充電部９１と二次電池９６との接続側へスイッチを切り替える切替信号を出力するものである。ステップ３１０の処理によって、二次電池９６は、燃料電池９４から所定量以上の充電量で充電される。」
　
・「【００７７】
以上説明したように、本発明の携帯装置が適用可能なデジタルカメラ１０によれば、図４に示したように、再生モードのようなデジタルカメラ１０の装置本体における消費電力が低い処理が実行される場合、すなわち、装置本体の負荷変動が少ない場合には、燃料電池９４から装置本体へ電力を供給することができる。また、撮影モードのようなズームレンズの駆動等による消費電力が高い処理が実行される場合、すなわち装置本体が高負荷状態になる場合には、二次電池９６から装置本体へ電力を供給することができる。
【００７８】
このため、デジタルカメラ１０の装置本体で瞬間的に大きな電力が必要になった場合、安定的に駆動することができない恐れがある燃料電池９４からの供給は、低負荷時に行い、高負荷時には、二次電池９６から電力を供給することができるので、効率よく装置本体へ電力を供給することができる。
【００７９】
また、高負荷時には、二次電池９６から電力を供給することができるが、高負荷時に二次電池９６から装置本体へ供給する電力量に相当する量の電力を、燃料電池９４から装置本体へ供給しようとすると、燃料電池９４自体（発電部）を大きくする必要がある。このため、高負荷時に燃料電池９４から装置本体へ電力を供給しようとすると、デジタルカメラ１０自体のサイズが大きくなるおそれがあり、携帯するに困難となることが予測される。本実施の形態のデジタルカメラ１０では、高負荷時には、二次電池９６から電力を装置本体へ供給することができるので、デジタルカメラ１０自体のサイズの縮小化を図ることもできる。」
　
・「【００８２】
また、図６の処理ルーチンに示したように、デジタルカメラ１０では、デジタルカメラ１０が動作状態にあり、かつ燃料電池９４から装置本体への電力供給時には、二次電池９６を小電流で充電することが出来ると共に、デジタルカメラ１０が動作停止状態にある場合には、二次電池９６を大電流で充電することができる。このため、二次電池９６を効率よく充電することができる。
【００８３】
また、上記二次電池９６の充電処理は、二次電池９６が満充電状態では無い場合に、実行されるので、二次電池９６の性能の劣化速度を抑制することが可能となる。」
　
・「【００８４】
なお、本実施の形態では、本発明の携帯装置を適用可能な装置として、デジタルカメラ１０を採用する場合を説明したが、携帯装置はデジタルカメラ１０に限るものではなく、例えば、携帯電話等の携帯装置を採用することも可能である。
【００８５】
【発明の効果】
以上説明したように、本発明の携帯装置によれば、燃料電池または、燃料電池より大きな容量の電力を有する二次電池から電力を供給可能な装置において、装置の高負荷時には二次電池から電力を供給し、装置の低負荷時には燃料電池から電力を供給することができるので、効率良く電力を供給することができる、という効果を有する。」
　
　そして、段落【００１３】〜【００１６】、【００４８】〜【００４９】、【００５６】〜【００５７】、【００７７】〜【００７８】及び【００８５】の記載によれば、装置本体では、燃料電池９４と二次電池９６の少なくとも一方からの給電により選択された撮影モードや再生モードの処理が実行されることが理解できるとと共に、主制御部６０では、装置本体により高負荷状態の撮影モードが選択されている場合、二次電池９６からの電力供給処理が実行され、低負荷状態の再生モードが選択されている場合、燃料電池９４からの電力供給処理が実行されることが理解できる。
　また、段落【００１９】〜【００２０】、【００７３】〜【００７６】及び【００８３】の記載によれば、主制御部６０は、残量検出回路９９により検出された二次電圧９６の電力の残量を示す信号が予め設定した設定値以上ではない場合には、前記燃料電池９４により二次電池９６を充電することが理解できる。
　
　これらの事項及び図示内容を本願補正発明の表現にならって整理すると、刊行物１には、次の事項からなる発明（以下「引用発明」という。）が記載されていると認めることができる。
「燃料電池９４と、
　二次電池９６と、
　前記燃料電池９４と前記二次電池９６の少なくとも一方からの給電により選択された撮影モードや再生モードの処理が実行される装置本体と、
前記二次電池９６の電力の残量を検出する残量検出回路９９と、
前記装置本体により高負荷状態の撮影モードが選択されている場合、前記二次電池９６からの電力供給処理が実行され、低負荷状態の再生モードが選択されている場合、前記燃料電池９４からの電力供給処理が実行される主制御部６０と、を有し、
　前記主制御部６０は、前記残量検出回路９９により検出された前記二次電圧９６の電力の残量を示す信号が予め設定した設定値以上ではない場合には、前記燃料電池９４により前記二次電池９６を充電する携帯可能なデジタルカメラ１０。」
　
　イ．原査定の拒絶の理由に引用された、本願の出願前に頒布された刊行物である特開平３−１５２３４号公報（以下「刊行物２」という。）には、図面とともに次の事項が記載されている。
　
・「本発明の電源切替回路は、充電式蓄電池とＡＣアダプタ電源とを両用できる可搬型端末機器において、ＡＣアダプタ電源抜き差しの際に、電源を瞬断させることなく、前記二種類の電源を自動的に切り替えることができる電圧降下の小さいものである。
（作　用）
　本発明は、上記の構或により、検出部によってＡＣアダプタ電源を使用しているかどうかを判定し、スイッチング部によって蓄電池とＡＣアダプタ電源を電気的に切り替え、充電部によってＡＣアダプタ電源から蓄電部に充電し、検出部の電圧により２つのスイッチング部の切り替えに時間差を設け、電源が瞬断しない作用を有するものである。」（２頁左上欄１〜１５行）
　
・「ＡＣアダプタ電源引き抜き時には、ＶＡ ＝Ｖｄｅｔ になったところで、トランジスタＱ１ がオンとなり、さらにＶＡ が下がりＶＡ ＝Ｖｂｅ１ になると、トランジスタＱ２ がオフとなる。第２図に示すように、トランジスタＱ１ ，Ｑ２ が共にオンになっている時間を確保しているため、すなわちＶＺ により、電源ＶＣＣの瞬断を防いでいる。」（２頁右上欄１９行〜同頁左下欄５行）
　
（２）対比
　そこで、本願補正発明（以下、「前者」ということがある。）と引用発明（以下、「後者」ということがある。）とをその機能・作用を考慮して対比する。
・後者の「燃料電池９４」は前者の「燃料電池」に相当し、以下同様に、「二次電池９６」は「二次電池」に、「装置本体」は「機能動作部」に、「主制御部６０」は「制御部」に、「携帯可能なデジタルカメラ１０」は「携帯電子機器」に、それぞれ相当する。
　
・後者の「選択された撮影モードや再生モードの処理が実行される」態様は、前者の「機能が動作される」態様に相当する。
　
・後者の「前記二次電池９６の電力の残量を検出する残量検出回路９９」と、前者の「前記二次電池の電圧状態を検出する電圧状態検出部」とは、「前記二次電池の所定状態を検出する所定状態検出部」との概念で共通する。
　
・後者の「前記装置本体により高負荷状態の撮影モードが選択されている場合、前記二次電池９６からの電力供給処理が実行され、低負荷状態の再生モードが選択されている場合、前記燃料電池９４からの電力供給処理が実行される」態様は、前者の「前記機能動作部により動作される機能に応じて前記燃料電池と前記二次電池の少なくとも一方からの前記機能動作部への給電方法を制御する」態様に相当する。
　
・後者の「前記残量検出回路９９により検出された前記二次電圧９６の電力の残量を示す信号が予め設定した設定値以上ではない場合」と、前者の「前記電圧状態検出部により検出された前記二次電池の電圧状態が所定の電圧値以下である場合」とは、「前記所定状態検出部により検出された前記二次電池の所定状態が所定の条件にある場合」との概念で共通する。
　
　したがって、両者は、
「燃料電池と、
　二次電池と、
　前記燃料電池と前記二次電池の少なくとも一方からの給電により機能が動作される機能動作部と、
　前記二次電池の所定状態を検出する所定状態検出部と、
　前記機能動作部により動作される機能に応じて前記燃料電池と前記二次電池の少なくとも一方からの前記機能動作部への給電方法を制御する制御部と、を有し、
　前記制御部は、前記所定状態検出部により検出された前記二次電池の所定状態が所定の条件にある場合には、前記燃料電池により前記二次電池を充電する携帯電子機器。」
の点で一致し、以下の点で相違している。
　
［相違点１］
　二次電池の所定状態を検出する所定状態検出部を有し、制御部は、前記所定状態検出部により検出された前記二次電池の所定状態が所定の条件にある場合には、燃料電池により前記二次電池を充電することに関し、本願補正発明では、二次電池の電圧状態を検出する電圧状態検出部を有し、制御部は、前記電圧状態検出部により検出された前記二次電池の電圧状態が所定の電圧値以下である場合には、燃料電池により前記二次電池を充電するものであるのに対して、引用発明では、二次電池９６の電力の残量を検出する残量検出回路９９を有し、主制御部６０は、前記残量検出回路９９により検出された前記二次電圧９６の電力の残量を示す信号が予め設定した設定値以上ではない場合には、燃料電池９４により前記二次電池９６を充電するものである点。
　
［相違点２］
　制御部に関し、本願補正発明では、機能動作部への電源供給源を燃料電池から二次電池へ切り替える場合、前記機能動作部に対して前記燃料電池及び前記二次電池の双方から一定期間給電した後に前記二次電池から給電されるようにするものであるのに対して、引用発明では、そのような特定はされていない点。
　
（３）判断
　上記相違点について検討する。
［相違点１について］
  二次電池の電力の残量（充電状態）を検出するのに、二次電池の電圧状態を検出し、また、検出した二次電池の電圧状態が、所定の電圧値以下である場合または所定の電圧値以上ではない場合（所定の電圧値未満である場合）に、二次電池を充電することは、本願の出願前に慣用技術（必要であれば、平成２５年１０月４日付け審尋において示した特開２００４−２４７９９５号公報（特に、段落【００２０】及び【００３５】）の他に、特開２００５−２９５７９８号公報（特に、段落【００２６】〜【００２８】）、特開平１１−１１３１７７号公報（特に、段落【００１２】、【００１４】及び【００１５】）及び特開平８−１６８１９２号公報（特に、段落【００１９】）を参照。）である。
　ここで、二次電圧の電圧状態が、所定の電圧値以下である場合に二次電池に充電するか、所定の電圧値以上ではない場合（所定の電圧値未満である場合）に二次電池に充電するかは、当業者が適宜選び得る事項である。
　そして、上記慣用技術と引用発明の上記相違点１に係る構成は、二次電池の電力の残量（充電状態）を検出し、二次電池の充電が必要な時に二次電池の充電をする点において共通するものであり、上記慣用技術を引用発明に適用することが技術的に困難であるわけでもない。
　そうすると、引用発明において、上記相違点１に係る本願補正発明の構成とすることは、上記慣用技術に基づき、当業者が容易になし得たことである。
　
［相違点２について］
　一方の電源から他方の電源に切り替える時に、電源の瞬断を防止するために、双方の電源から一定期間給電した後に、他方の電源から給電されるようにすることは、刊行物２（前記「３．（１）イ．」を参照。）にも記載があるように、本願の出願前に周知技術である。
　そして、引用発明において、低負荷状態の再生モードが選択された状態から、高負荷状態の撮影モードが選択されると、主制御部６０（制御部）は、装置本体（機能動作部）への電源供給源を燃料電池９４から二次電池９６へ切り替えることになるところ、電源供給源の切り替え時に、装置本体（機能動作部）への給電が瞬断しないようにすることは内在する課題である。
　そうすると、引用発明において、装置本体（機能動作部）に対して燃料電池９４及び二次電池９６の双方から一定期間給電した後に前記二次電池９６から給電されるようにすること、すなわち、上記相違点２に係る本願補正発明の構成とすることは、上記周知技術に基づき、当業者が容易になし得たことである。
　
　そして、本願補正発明の全体構成により奏される作用効果は、引用発明、上記慣用技術及び上記周知技術から当業者が予測し得る範囲内のものである。
　したがって、本願補正発明は、引用発明、上記慣用技術及び上記周知技術に基づいて、当業者が容易に発明をすることができたものであるから、特許法第２９条第２項の規定により特許出願の際独立して特許を受けることができないものである。
　
４．むすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　
　
第３　本願発明について
１．本願発明
　本件補正は上記のとおり却下されたので、本願の請求項１に係る発明（以下、同項記載の発明を「本願発明」という。）は、平成２４年９月６日付け手続補正書により補正された特許請求の範囲の請求項１に記載された事項により特定されるとおりのものである（「第２［理由］１．（１）」を参照。）。
　
２．刊行物
　原査定の拒絶の理由に引用された刊行物１及び２の記載事項、並びに、引用発明は、前記「第２［理由］３．（１）」に記載したとおりである。
　
３．対比・判断
　　本願発明は、前記「第２［理由］」で検討した本願補正発明において、「制御部」が「前記機能動作部への電源供給源を前記燃料電池から前記二次電池へ切り替える場合、前記機能動作部に対して前記燃料電池及び前記二次電池の双方から一定期間給電した後に前記二次電池から給電されるようにする」こと、すなわち、上記相違点２に係る本願補正発明の構成について、「前記機能動作部への電源供給源を前記燃料電池及び前記二次電池の一方から他方へ切り替える場合、前記機能動作部に対して前記燃料電池及び前記二次電池の双方から一定期間給電した後に前記他方から給電されるようにする」とし、切り替え前の電源供給源と切り替え後の電源供給源がそれぞれ一つに限定されていたものを、二者択一にして上位概念化したものであり、さらに、本願補正発明から、「二次電池の電圧状態を検出する電圧状態検出部」と、「制御部」は「前記電圧状態検出部により検出された前記二次電池の電圧状態が所定の電圧値以下である場合には、前記燃料電池により前記二次電池を充電する」という技術事項とからなる構成、すなわち、上記相違点１に係る本願補正発明の構成を省いたものである。
　したがって、前記「第２．［理由］３．（２）」の検討内容を踏まえて、本願発明と引用発明とを対比すると、以下の点で相違し、その余の点で一致する。
［相違点］
　制御部に関し、本願発明では、機能動作部への電源供給源を燃料電池及び二次電池の一方から他方へ切り替える場合、前記機能動作部に対して前記燃料電池及び前記二次電池の双方から一定期間給電した後に前記他方から給電されるようにするものであるのに対して、引用発明では、そのような特定はされていない点。
　上記相違点について検討すると、前記「第２．［理由］３．（３）」の検討内容を踏まえれば、引用発明において、上記相違点に係る本願発明の構成とすることは、上記周知技術に基づき、当業者が容易になし得たことである。
　そして、本願発明の全体構成により奏される作用効果は、引用発明及び上記周知技術から当業者が予測し得る範囲内のものである。
　したがって、本願発明は、引用発明及び上記周知技術に基づいて、当業者が容易に発明をすることができたものであるから、特許法第２９条第２項の規定により特許を受けることができない。
　
４．むすび
　以上のとおり、本願発明は、特許法第２９条第２項の規定により特許を受けることができないため、その余の請求項に係る発明について判断するまでもなく、本願は、同法第４９条第２号の規定に該当し、拒絶をされるべきものである。
　
　よって、結論のとおり審決する。